(57)【特許請求の範囲】
【請求項１】
ロードホイールのためのタイヤ動作面を形成するための方法において、前記方法が、
テクスチャ加工されたタイヤ動作面を受容するための長手方向に凸状の接合面を提供するステップであって、前記接合面が、回転可能なロードホイールの径方向外側部に結合され、円弧状経路に沿って延びた幅および長さを有する、長手方向に凸状の接合面を提供するステップと、
前記接合面に沿って配列された長手方向に凸状の接着剤材料層を備えるコーティングされた接合面を形成するために、前記長手方向に凸状の接合面に沿って所定の厚さの接着剤材料を適用するステップと、
保持面に沿って単一のアグリゲート材料層を配列するステップと、
前記コーティングされた接合面の前記長手方向に凸状の接着剤材料層の幅を、前記単一のアグリゲート層と係合させるステップと、
前記凸状の接着剤材料層の長さが前記単一のアグリゲート層に係合するまで、前記保持面に対して長さ方向に、前記コーティングされた接合面を回転させるステップであって、回転の後、前記係合されたアグリゲートを、前記保持面から前記コーティングされた接合面に効果的に転写して前記接着剤層をアグリゲートでコーティングするために、前記係合されたアグリゲートを前記接着剤層に付着させたままにし、それにより、前記接合面に沿ってタイヤ動作面を形成するために、前記単一のアグリゲート層を前記接合面に沿って付着させる、前記コーティングされた接合面を回転させるステップと
を含む、ロードホイールのためのタイヤ動作面を形成するための方法。
【請求項２】
前記長手方向に凸状の接合面に沿って所定の厚さの接着剤材料を適用する前記ステップが、
前記接合面の長さに沿って接着剤ガイド部材の対を配列することであって、前記接着剤ガイド部材が、円弧に沿った長さを有し、前記接着剤材料を受容するための区域を提供するために前記接合面の幅にわたって横方向に離間している、接着剤ガイド部材の対を配列することと、
前記所定の厚さに少なくとも等しい厚さを達成するために、接着剤ガイド部材の前記対の間に接着剤材料を適用することと
を含む、請求項１に記載の方法。
【請求項３】
前記長手方向に凸状の接合面に沿って所定の厚さの接着剤材料を適用する前記ステップが、前記接合面の長さに沿って接着剤材料を押し出すことを含む、請求項１に記載の方法。
【請求項４】
前記長手方向に凸状の接合面に沿って所定の厚さの接着剤材料を適用する前記ステップが、
前記接合面にわたって、かつ、接着剤ガイド部材の前記対の上に横方向にレベリング部材を配列することと、
前記接着剤ガイド部材の上で、前記接合面の長さ方向に前記レベリング部材を移動させることと
をさらに含む、請求項２に記載の方法。
【請求項５】
前記所定の厚さが、前記接着剤ガイド部材がその上に配列された基部部材から前記接着剤ガイド部材が延びる高さに等しい、請求項２に記載の方法。
【請求項６】
複数のアグリゲートを配列する前記ステップが、十分にサイズ設定されたアグリゲートを選択し、所望のテクスチャを有するタイヤ動作面を形成するために前記アグリゲートを選択的に配列することによって手動で実行される、請求項１に記載の方法。
【請求項７】
複数のアグリゲートを単一の層に配列する前記ステップが、保持面に沿って、前記接着剤層の長さおよび幅に少なくともほぼ等しい長さおよび幅を有する保持面に沿った区域内にアグリゲートを配列することを含む、請求項１に記載の方法。
【請求項８】
前記保持面の幅にわたってアグリゲートガイド部材の対を横方向に離間させるステップをさらに含み、保持面に沿って単一のアグリゲート材料層を配列する前記ステップが、アグリゲートガイド部材の前記対の間に前記アグリゲートを配列することを含む、請求項１に記載の方法。
【請求項９】
前記コーティングされた接合面の前記長手方向に凸状の接着剤材料層の幅を、前記単一のアグリゲート層と係合させる前記ステップ、および、前記保持面に対して長さ方向に前記コーティングされた接合面を回転させる前記ステップの間、アグリゲートガイド部材の前記対が、前記保持面と前記接合面との間に延びる、請求項８に記載の方法。
【請求項１０】
アグリゲートガイド部材の前記対が、前記基部部材と前記保持面との間の高さ、前記保持面に沿って配列された前記アグリゲートの高さよりも大きい距離だけ延びる、請求項８に記載の方法。
【請求項１１】
接着剤ガイド部材の前記対は、前記接着剤材料を適用した後、前記接着剤材料に沿って前記アグリゲートを配列する前に、前記ベース表面から除去される、請求項８に記載の方法。
【請求項１２】
保持面に沿って単一のアグリゲート材料層を配列する前記ステップが、
前記保持面にわたって、かつ、アグリゲートガイド部材の前記対の上に横方向にアグリゲートレベリング部材を配列することと、
前記アグリゲート材料の上で、前記保持面の長さ方向に前記アグリゲートレベリング部材を平行移動させることと
をさらに含む、請求項８に記載の方法。
【請求項１３】
保持面に沿って単一のアグリゲート材料層を配列する前記ステップが、前記アグリゲートレベリング部材に接触する任意のアグリゲートが前記アグリゲートレベリング部材から離間するように、前記任意のアグリゲートを再配列または再配置することを含む、請求項１１に記載の方法。
【請求項１４】
前記接合面の幅に沿って延びた前記タイヤ動作面が、前記タイヤ動作面の幅方向に凸状である、請求項１に記載の方法。
【請求項１５】
前記保持面は平坦である、請求項１記載の方法。
【発明の詳細な説明】
【技術分野】
【０００１】
本発明は、全般的には、タイヤ試験機械のためのロードホイールに関し、より詳細には、タイヤ試験機械に使用されるロードホイールのタイヤ動作面、およびそれを形成する方法に関する。
【背景技術】
【０００２】
タイヤは、しばしば、様々な性質のうちのいずれかを判断するためにテストされる。特定の事例では、通常動作条件下で車両についてタイヤをテストする代わりに、回転しているロードホイールについてタイヤをテストする。
【０００３】
動作中、タイヤは、回転しているロードホイールの径方向外側の環状表面に沿って回転する。特定の事例では、径方向外側の環状表面はテクスチャ加工されている。テクスチャ加工された表面は、典型的には、ロードホイールの外側の環状表面に接着取り付けされた研磨材を含む。研磨材は、一般には、シリカ、または車両動作状態中にタイヤが通常動作する表面とは無関係な別のシリカ様生成物を備える。ただし、典型的には、車両は、コンクリート、アスファルト、れんが、石のような様々な材料で構成される路面、および／またはアグリゲートなどを含有する表面上で動作する。残念なことに、ロードホイールのテクスチャ加工された径方向外側の環状タイヤ動作面は、現実世界のタイヤ動作面を形成する材料のうちのいずれでも形成されない。
【０００４】
したがって、現実世界の車両動作中にタイヤが動作する表面を表現する材料で形成されたタイヤ動作面を有するロードホイールを提供する必要がある。
【発明の概要】
【０００５】
本発明の特定の実施形態は、ロードホイールのためのタイヤ動作面を形成する方法を含む。本方法は、テクスチャ加工されたタイヤ動作面を受容するための長手方向に凸状の接合面を提供するステップであって、接合面が、回転可能なロードホイールの径方向外側部に関連付けられ、円弧状経路に沿って延びた幅および凸状長さを有する、長手方向に凸状の接合面を提供するステップを含む。本方法は、接合面に沿って配列された長手方向に凸状の接着剤材料層を備えるコーティングされた接合面を形成するために、長手方向に凸状の接合面に沿って所定の厚さの接着剤材料を適用するステップと、保持面に沿って単一のアグリゲート材料層を配列するステップとをさらに含む。本方法はまた、コーティングされた接合面の前記長手方向に凸状の接着剤材料層の幅を、単一のアグリゲート層と係合させるステップを含む。本方法はまた、凸状の接着剤材料層の長さが単一のアグリゲート層に係合するまで、保持面に対して長さ方向に、コーティングされた接合面を回転させるステップであって、回転の後、保持面からコーティングされた接合面に、前記係合されたアグリゲートを、効果的に転写して前記接着剤層をアグリゲートでコーティングするために、係合されたアグリゲートを接着剤層に付着させたままにし、それにより、接合面に沿ってタイヤ動作面を形成するために、単一のアグリゲート層を接合面に沿って付着させる、コーティングされた接合面を回転させるステップを含む。
【０００６】
本発明の同様の部分を同様の参照番号で表している添付の図面に示すような本発明の特定の実施形態の以下のより詳細な説明から、本発明の前述のおよび他の目的、特徴および利点が明らかになるであろう。
【図面の簡単な説明】
【０００７】
【図１】タイヤ試験で使用するためのロードホイールの斜視図であり、ロードホイールは、本発明の特定の実施形態にしたがって、アグリゲートでコーティングされた複数の円弧状のタイヤ動作面セグメントを備える環状タイヤ動作面を含む外面環状側部を有する。
【図２】図１のロードホイールの側立面図である。
【図３】図１の円弧状のリングセグメントを形成する際に使用するための円弧状のセグメントを形成する基部部材の頂部斜視図であり、本発明の特定の実施形態にしたがって、長手方向に突出した外側の接合面を形成するために、円弧長さを有する剛性材料のシートで基部部材が形成されている。
【図４】図３の基部部材の前面斜視図であり、本発明の特定の実施形態にしたがって、接着剤ガイド部材の対の間に、基部部材の径方向外側部に沿って接着剤材料を受容することに備えて、接着剤ガイド部材の対のうちの１つが基部部材の１つの横方向側部に沿って配列されている。
【図５Ａ】図３の円弧状のセグメントの基部部材の端面図であり、本発明の特定の実施形態にしたがって、基部部材の幅全体にわたって横方向に離間し、かつ、基部部材の長さに沿って長手方向に延びた接着剤ガイド部材の対の間に、基部部材の外側に沿って接着剤材料が配列されている。
【図５Ｂ】図５Ａの基部部材の前面斜視図であり、本発明の特定の実施形態にしたって、接着剤材料を基部部材の長さに沿って所望の厚さに整形するために、基部部材にわたって横方向に、かつ、接着剤ガイド部材の上にレベリング部材が配列されている。
【図６】ほぼ平坦な基部と所定の厚さまたは高さを有するアグリゲートガイド部材の対とを備えるアグリゲート適用フィクスチャの前面斜視図であり、本発明の特定の実施形態にしたがって、接着剤ガイド部材の対の間に平坦な基部に沿って単一のアグリゲート層を形成するために、アグリゲートが配列されている。
【図７Ａ】本発明の特定の実施形態による、保持面上に、かつ、図６のアグリゲートガイドのフィクスチャの上に横方向に配列されたアグリゲートレベリング部材を示す端面図である。
【図７Ｂ】本発明の特定の実施形態にしたがって、図６のフィクスチャに適用されている接着剤でコーティングされた基部部材を示す端面図である。
【図７Ｃ】本発明の特定の実施形態による、アグリゲート適用フィクスチャに適用された図７Ｂの接着剤でコーティングされた基部部材を示す端面図である。
【図７Ｄ】本発明の特定の実施形態による、アグリゲート適用フィクスチャに適用された、接着剤でコーティングされた基部部材の側立面図であり、基部部材は、フィクスチャの長さに沿って回転している。
【図８】図１のロードホイールの外面タイヤ動作面を形成するための円弧状のリングセグメントの頂部斜視図であり、円弧状のリングセグメントは、本明細書で論じる方法の特定の実施形態にしたがって形成される。
【図９】本発明の特定の実施形態にしたがって接合面上に接着剤層を形成する押出成形機の頂部斜視図である。
【図１０】接着剤層に関連して示されたレベリング表面または縁部の端面図であり、本発明の特定の実施形態にしたがって、レベリング表面または縁部は、接着剤層の頂部の露出面内に凹部を形成するために複数の凹部および延在部を有する。
【図１１】保持面に沿って配列された単一のアグリゲート層に沿って回転しているコーティングされた基部部材の頂部斜視図であり、本発明の特定の実施形態にしたがって、基部部材と接着剤層の接合面は両方とも、横方向に突出し、かつ、長手方向には凹んでおり、アグリゲートと保持面の単一の層とは横方向に凹んでいる。
【図１２Ａ】ロードホイールの外側または外周に取り付けられたセグメントを備える基部部材の側面図であり、基部部材の曲率半径は、ロードホイールの外側または外周の曲率半径よりも小さい。
【図１２Ｂ】ロードホイールの外側または外周に取り付けられたセグメントを備える基部部材の側面図であり、基部部材の曲率半径は、道路の外側または外周の曲率半径をよりも少ない。
【発明を実施するための形態】
【０００８】
上記で示唆したように、タイヤ試験動作を実行するための改良型ロードホイールを提供する必要がある。そして、通常動作状態で、または現実世界のタイヤ動作状態により厳密に似ている状態でタイヤをテストしたいという要望があるので、現実世界の車両動作中にタイヤが動作する表面を形成する材料で、またはそのような表面に似ていている材料で外面タイヤ動作面を形成したいという要望がある。そのような現実世界の動作面は、アグリゲートの配列、あるいは石、岩、れんがおよび／またはその他の材料のような構成成分の配列を備え得る。
【０００９】
したがって、本発明の特定の実施形態は、回転可能なロードホイールの径方向外側部に沿って環状タイヤ動作面を形成する方法を含み、このタイヤ動作面は、タイヤがその上で動作する複数のアグリゲートを備える。複数のアグリゲートは、任意の所望の現実世界のタイヤ動作面を形成することができ、あるいは、そのようなタイヤ動作面を形成するものを示すことができる。他の実施形態は、ロードホイールを形成する方法、かかる方法によって形成されるロードホイール、および本明細書で論じる方法にしたがってロードホイールを形成するためのシステムを含む。回転可能なロードホイールの径方向外側部に沿って環状タイヤ動作面を形成する様々な方法、およびロードホイールを形成する方法について以下に記載する。
【００１０】
本方法の特定の実施形態は、アグリゲートで形成されたタイヤ動作面を受容するための長手方向に凸状の接合面を提供するステップであって、当該接合面が、回転可能なロードホイールの径方向外側部に関連付けられ、円弧状経路に沿って延びた幅および凸状長さを有する、長手方向に凸状の接合面を提供するステップを含む。タイヤをテストするためのロードホイールは、一般に、ロードホイールの外周部の周りに環状に長手方向に延びた径方向外側部を含む。ロードホイールに沿ったタイヤ試験は、径方向外側部の周りに長手方向に延びたタイヤ動作面に沿ってタイヤを転がすことによって達成される。したがって、径方向外側部ならびにタイヤ動作面は、一般に、各々がロードホイール径方向外側部の周りで長手方向に延びる場合、長手方向に凸状であると記載することができる。
【００１１】
接合面は、タイヤ動作面を受容するために、ロードホイールの径方向外側部の周りに配列される。接合面は、ロードホイールの一部分を形成することができ、あるいはロードホイールへの動作可能な取付けのために別々に形成され得る。接合面の長さは円周方向に延び、円弧状経路を形成する。円弧状経路は、概して、曲率半径によって規定される。曲率半径は、ロードホイールの回転軸に沿って配置される起点を有することも、あるいはそのような起点を有しないこともある。
【００１２】
接合面の幅は、概して、接合面の長さ方向に直交する方向に横方向に延びる。接合面の幅は、線形または非線形であり得る任意の望ましい経路に沿って横方向に延び得ることを理解されたい。たとえば、接合面の幅は、ロードホイールの回転軸に対して平行な方向に直線的に延びることも、あるいは、たとえば、凸状または凹状の経路に沿って非線形に延びることもある。また、接合面の幅は、一定でも可変でもよいことを理解されたい。
【００１３】
次に図１〜図３を参照すると、本明細書に開示する方法の特定の実施形態にしたがって形成されたロードホイール１０の例示的実施形態が示されている。ロードホイールは、ロードホイールの径方向外側部１２の周りに環状に延びている外面の径方向外側のタイヤ動作面１４を含む。ロードホイールは、ほぼ円筒形の形状であり、回転軸Ａ−Ａを中心として回転可能である。外面環状タイヤ動作面１４は、接合面２５に沿って配列された複数のアグリゲート４６（すなわち、タイヤ動作面の構成成分）を含む。径方向外側部１２ならびに接合面２５は、円周方向で長手方向に凸状であるように、実際には、シリンダの径方向外側表面に関連付けられているように示されている。したがって、図２および図３を特に参照すると、接合面２５は概して、起点がロードホイールの回転軸Ａ−Ａである曲率半径ｒ25によって規定された円弧状経路中に延びているように示されている。接合面の幅は、ロードホイールの回転軸に対して平行な線形経路に沿って横方向に延びるように示されている。接合面は、滑らかでも、あるいは、表面の接合特性を高めるためにテクスチャ加工されていてもよいことを理解されたい。たとえば、表面は、研磨ディスクまたはサンドブラスターのような研磨ツール、あるいは、たとえば、表面エッチングのための任意の化学物質を使用して粗面加工することができる。
【００１４】
特定の実施形態では、長手方向に凸状の接合面は、円弧状の基部部材の径方向外側表面に沿って配列される。接合面は、ロードホイールの取外し可能部分または固定された取外し不可能な部分を形成することができるので、基部部材自体が、ロードホイールの取外し可能部分または固定された取外し不可能な部分を備えることができる。また、基部部材は、ロードホイールの径方向外側部に沿って配列するための複数のセグメントのうちの１つを備えることができることを理解されたい。基部部材は、任意の既知の方法にしたがって、任意の既知の１つまたは複数の機構を使用して、ロードホイールに取り付けることができる。たとえば、セグメントは、締め具、クリップなど、機械的干渉を使用して、１つまたは複数の磁石を使用することによって、あるいは、溶接によって取り付けることができる。
【００１５】
図１〜図３を参照すると、特定の実施形態では、例示的なロードホイールの径方向外側部１２は、タイヤ動作面１４がその上に形成される複数のセグメント２０を備える。各セグメントは、末端部２４の間に延びた長さＬ22を有する基部部材２２を備える。基部部材２２は、長手方向に凹状の内側部２７と、接合面を備える長手方向に凸状の外側部２５との間に径方向に延びる厚さを有し、それにより、基部部材は、接着剤層をアグリゲートでコーティングしたときにタイヤ動作面セグメントを形成する。末端部は、基部部材の長手方向またはロードホイールの周方向に直交する横方向に、（すなわち、換言すると、ロードホイールの回転軸に対して平行な方向に）線形に延びるように示されている。他の変形形態では、任意の末端部２４は、基部部材の長さまたはロードホイールの周方向に付勢された方向に、線形経路または非線形経路に沿って横方向に延び得ることを理解されたい。そのような付勢された末端部は、隣接するセグメント２０の間により均質なスプライスまたは継目を提供することができ、それにより、ロードホイールが回転するにつれて起こり得るいかなる回転不均衡または振動をも低減することもできる。図示の実施形態では、セグメントは、様々なタイヤ試験に関する要望に応じて、様々なタイヤ動作面をロードホイールに設置することが可能となるように、選択的に取り外すことができるように構成される。換言すると、セグメントは交換可能である。各基部部材２０をロードホイール１０に取り付けるために任意の手段を採用することができるが、図示の実施形態の基部部材は、たとえば締め具２９などを使用することによって、そのような取付けを可能にするための複数の開口２８を含む。図１および図３を参照すると、開口２８は、たとえば開口をロードホイールの締着具受容孔と整列させるときに、いかなる製造公差にも適応するためのより簡単でより寛大な設置手段を提供するためにスロットをつけることができる。もちろん、開口は、円形の開口部を形成することを含む任意の他の所望の形状を備えることができる。
【００１６】
図２〜図３の実施形態を特に参照すると、各基部部材２２は、半径ｒ27によって規定された曲率半径を有する円弧状経路に沿って長手方向に延び、基部部材の凹状の内（裏）側部２７から延びるように示されている。図示の実施形態では、半径ｒ27は、ロードホイールの外側の円弧状表面つまり外周１２の曲率半径を規定する半径ｒ12に等しい。ただし、製造公差に起因して、半径ｒ27は、半径ｒ12から逸脱することがある。この際、ロードホイールに設置したときに、ロードホイール１０と基部部材２０との間に１つまたは複数のギャップが生じることがある。たとえば、図１２Ａを参照すると、半径ｒ27が半径ｒ12よりも小さい場合、基部部材２２（またはセグメント２０）の長さに沿って中央にギャップＧが見つかる。さらなる例として、図１２Ｂを参照すると、半径ｒ27が半径ｒ12よりも大きい場合、基部部材２２の一方または両方の末端部２４に隣接してギャップＧが見つかる。ギャップは、タイヤがロードホイールに沿って転がるにつれて基部部材および接着剤層を偏向させ得るので、接着剤と任意のアグリゲートとの間の接合が分離または破断し得る。しかしながら、これは、基部部材および接着剤層を形成する材料の可撓性に依存する。たとえば、かかる材料の可撓性が十分である場合、より大きいギャップを許容することができるが、かかる材料の剛性がより高いときには、より小さいギャップしか許容することができない。特定の実施形態では、（以下に詳述する）Ｌａｔａｐｏｘｙ（登録商標）で形成された約８．９ｍｍ厚の接着剤層を使用すると、曲率半径ｒ27を曲率半径ｒ12で除算した割合（すなわち、ｒ２７／ｒ１２）は、０．９３以上かつ１．０７以下（つまり、０．９３≦ｒ27／ｒ12≧１．０７）のときに生じるギャップは十分に許容され得る。換言すると、半径ｒ27は、半径ｒ12の７％以内である。Ｌａｔａｐｏｘｙ（登録商標）よりも可撓性が高い場合もある、ポリウレタンのような様々な材料を使用すると、他の割合または差が採用され得る。
【００１７】
基部部材は、その意図された目的に好適な任意の構造または材料で形成することができることを理解されたい。たとえば、各々は、プレスまたはローラーのようなシートを曲げるための任意の既知の手段を使用して圧延または曲げ加工された金属または金属合金のシートを備えることができる。さらなる例として、各基部部材は、任意のプラスチック、金属または金属合金のような任意の成形可能な材料を使用して、所望の形状に成形することができる。長手方向に凸状の基部部材の場合、その厚さは、長手方向に凹状の内側部と長手方向に凸状の外側部との間に径方向に延びる。
【００１８】
かかる方法の特定の実施形態は、接合面に沿って配列された長手方向に凸状の接着剤材料層を備えるコーティングされた接合面を形成するために、長手方向に凸状の接合面に沿って所定の厚さの接着剤材料を適用するステップをさらに含み得る。接合面にアグリゲートを接合するために、アグリゲートを受容する前に、接合面に接着剤を適用する。アグリゲートを捕捉し保持するのに十分な所定の厚さを達成するように接着剤材料を適用する。換言すると、接着剤層の厚さは、アグリゲートのサイズおよび形状に適応するように選択することができる。たとえば、６ミリメートル（ｍｍ）〜１０ｍｍの高さ、幅および／または深さを有するアグリゲートを保持するために、８．９ミリメートル（ｍｍ）の接着剤層厚が採用されてきた。また所定の厚さは、タイヤ動作面の少なくとも一部分を形成するために、接着剤が実質的にアグリゲートを通過しないように選択することができる。たとえば、アグリゲートの広さが十分である場合、より少ないアグリゲートを使用して接着剤層をコーティングすることができ、したがって、アグリゲートを効果的に適用すると、接着剤は層からしぼり出される接着剤をより少なくすることができる。また、アグリゲートの所定の配置を達成するために、接合面に沿って任意のロケーションに接着剤材料を適用することができる。たとえば、接着剤層は、ロードホイールに沿って対応する連続的なまたは断続的なタイヤ動作面を形成するために、連続的にまたは断続的に延びることができる。
【００１９】
接着剤材料は、対応するロードホイールが動作中に回転する際に、接合面に沿って任意のアグリゲートを保持するのに十分な任意の組成を含み得る。また、接着剤は、任意の所望のタイヤ試験条件下で接合を維持するように選択することができる。これは、高い温度条件および低い温度条件の間にアグリゲートを用いてその接合を維持することが可能なあることを含み得る。例示的な接着剤は、エポキシ樹脂およびポリウレタンを含む。１つの例示的な接着剤は、Ｌａｔｉｃｒｅｔｅ  Ｉｎｔｅｒｎａｔｉｏｎａｌ，  Ｉｎｃ．によって市販にされ、Ｌａｔａｐｏｘｙ（登録商標）の商品名を有する石材用接着剤として販売されるエポキシである。Ｌａｔａｐｏｘｙ（登録商標）の物理的性質は、ＡＮＳＩ  Ａ１１８．３〜５．５にしたがってテストしたときに７３０〜９２０ポンド／インチ（ｐｓｉ）または５〜６．３ＭＰａの大理石とコンクリートとの間のせん断接着強さ、ＡＮＳＩ  Ａ１１８．３〜５．６にしたがってテストしたときに８３００〜８４５０ｐｓｉ（５７〜５８ＭＰａ）の圧縮強さ、ＡＮＳＩ  Ａ１１８．３〜５．７にしたがってテストしたときに１５００〜２１００ｐｓｉ（１０．３〜１４．５ＭＰａ）の引張強さを含む。Ｌａｔａｐｏｘｙ（登録商標）の作業特性は、１インチ（２５ｍｍ）の厚さではサグがない粘稠度、華氏７２度（°Ｆ）または摂氏２０度（℃）で３０〜４５分のポットライフ、および７２°Ｆ（２０℃）で５〜６時間の硬化時間を提供することが分かっている。
【００２０】
また、接着剤は、接着剤層は、アグリゲートに係合させるステップおよびアグリゲート層に沿って接着剤層を相対的に回転させるステップの間、短い持続時間にわたって少なくとも一時的に接着剤層の形態を十分に保持するように選択することができる。たとえば、接着剤層は、変形し、その厚さの中にアグリゲートを受容するために十分に粘性でなければならないばかりではなく、接着剤は、係合させるステップ中に圧縮力を受けたときに過度に変形し、接合面から流れるほど過度に流動性であってはならない。さらに、接着剤層は、処理されるとき、または、係合させるステップおよび回転させるステップの間で高さ方向に反転させたときにその形態を著しく損なうことを阻止しなければならない。任意のそのような接着性を提供するために、所定の粘性を有する接着剤を選択することができる。さらに、接着剤は、接着剤が適用されるいかなる温度でも所望の粘性を有するように選択することができ、アグリゲートは、たとえば、係合させるステップおよび回転させるステップの間にその中に配列される。任意の所望の粘性を達成するために、接着剤は、任意のアグリゲートを受容する前に、部分的に凝固または硬化することができる。
【００２１】
接着剤は、手動でまたは自動的であり得る接着剤を適用するための任意の既知の手段によって接合面に適用することができる。たとえば、接着剤は、ブラシまたはパテナイフなどのような手工具を使用して適用することができる。また、接着剤は、接合面上に注入する、または押し出すことができ、あるいは、任意の他の手段によって接合面上に堆積させることができる。上述のように、接着剤は、所定の厚さを有する接着剤層を形成するように適用される。接着剤層の厚さは、一定でも可変でもよい。特定の実施形態では、接着剤層は長手方向に凸状であり、つまり、接着剤層の露出した径方向外側表面は、長手方向に凸状である。たとえば、この長手方向に凸状の接着剤層は、長手方向に凸状の接合面に、一定厚さまたは可変厚さの層を適用することによって形成することができる。接着剤層が、アグリゲートをそれに取り付けた状態で接合面上に配列されると、その中にアグリゲートを固着するように接着剤を凝固または硬化させることができる。そのような接着剤は、周囲または加熱状態に露出すると時間とともに凝固し得る。接着剤は、コーティングされた接合面をロードホイールに設置する前に完全に硬化し得るが、特定の実施形態では、接着剤は、たとえば、コーティングされた接合面をロードホイールに設置した後に任意のアグリゲートを再配列することが望ましいときには、設置後に完全に硬化させる。
【００２２】
長手方向に凸状の接合面または基部部材に沿って所定の厚さの接着剤材料を適用するステップの特定の実施形態は、接合面の長さに沿って接着剤ガイド部材の対を配列することを含む。特定の実施形態では、接着剤ガイド部材は、円弧長さを有しており、接着剤材料を受容し、タイヤ動作面を形成するための区域を提供するために、接合面の幅にわたって横方向に離間している。接着剤ガイド部材は、少なくとも接合面または基部部材に設置されるときには、円弧状経路中で長手方向に延びる。これは、接着剤ガイド部材の可撓性が設置済み構成へと曲げるのに十分であるようなとき、円弧状の接着剤ガイド部材が、設置前または設置時に円弧状であり得ることを意味する。
【００２３】
結果として、接着剤ガイド部材を採用するときには、２つ以上の対を採用することができることになる。たとえば、複数の接着剤ガイド部材は、接着剤ガイド部材の複数の対向する対を形成するために、対向する横方向側部の一方または両方に配列することができる。任意の横方向側部に配列された接着剤ガイド部材は、接着剤受容区域に沿って接着剤ガイド部材が連続して延びるように、端から端まで配列されることができる。他の変形形態では、接着剤層がその長さに沿って断続的に延びるようなときには、接着剤ガイド部材は、断続的に延びるように離間し得る。
【００２４】
対向する接着剤ガイド部材の横方向間隔は、その形成中に接着剤層の幅を制御するように選択することができ、それにより、接着剤ガイド部材は、接着剤層の所望の幅に等しい、またはそれよりも大きい距離だけ横方向に離間している。さらに、接着剤ガイド部材は、接合面の上に形成される接着剤層の厚さを制御するためにも使用することができる。したがって、各接着剤ガイド部材は、接合面に対して径方向外側にある高さだけ延びるように配列され、この高さは、接合面と接着剤ガイド部材の頂部との間の距離だけ延びる。この距離は、接合面上に形成された接着剤層の所望の厚さを達成するように選択され、この暑さは一定でも可変でもよい。
【００２５】
したがって、特定の実施形態では、接合面に沿って接着剤を適用するステップは、所望の厚さを有する接着剤層を形成するために、横方向に離間した接着剤ガイド部材の対の間に接着剤材料を適用することを含み、接着剤ガイド部材が接合面の上方に延びる高さは、接着剤層の所定の厚さに少なくとも等しい。したがって、接着剤層の厚さは、接着剤層の露出した径方向外側部または径方向外側表面（すなわち、頂側部または頂部表面）は、接着剤ガイド部材の頂部と高さ方向または径方向に整列するようにすることができ、それにより、接着剤層の所定の厚さは、接着剤ガイド部材が基部部材から延びる高さ以下である。
【００２６】
所望の厚さを有する接着剤層の形成を可能にするために、長手方向に凸状の接合面に沿って所定の厚さの接着剤材料を適用するステップは、接着剤層厚さの形成を制御するために、接合面にわたって接着剤ガイド部材の対の上に接着剤レベリング部材を横方向に配列することをさらに含む。特定の実施形態では、レベリング部材は、接着剤層の幅にわたって、横方向に対向する接着剤ガイド部材の対の間に横方向に延びた長手方向部材を備え、それにより、レベリング部材は、接着剤層を整形するために、接着剤ガイド部材の上で接合面または接着剤層の長さ方向に平行移動する。他の実施形態では、レベリング部材は、径方向内向き方向に接着剤層を押圧することによって、接着剤層厚さを形成することができる。たとえば、そのような場合、レベリング部材は、必要に応じて、任意の所望の厚さを有する接着剤層を達成するために、接着剤を形成または整形するために、成形動作を備える。任意の実施形態では、レベリング部材は、接着剤層の頂部に隣接して配列されたレベリング表面または縁部を含む。レベリング表面または縁部は、接着剤ガイド部材の頂部と高さ方向に整列することができ、あるいはレベリング表面または縁部が、接着剤ガイド部材の頂部の径方向内向きに、またはその下に凹むように接着剤ガイド部材の頂部から径方向内向きに延びることができる。したがって、レベリング部材のレベリング表面または縁部は、任意の様式で、任意の所望の厚さの接着剤層を達成するために接着剤ガイド部材または接合面に対して配列されることができる。
【００２７】
レベリング表面または縁部は、任意の所望の線形経路または非線形経路に沿って、接合面に対して横方向に長手方向に延びることができるが分かる。したがって、レベリング表面または縁部は、必要に応じて任意の所望の一定厚さまたは可変厚さを有する接着剤層を形成するように整形されることができる。このようにすると、接着剤層は、任意の所望の形状または外形を有することができる。たとえば、レベリング表面または縁部は、円弧状経路に沿って長手方向に延びることができる。円弧状経路は、たとえば、接合面に沿って横方向に凸状の接着剤層を形成するように凹状とすることができる。横方向に凸状に接着剤層は、横方向に延びた一定厚さまたは可変厚さを有することができる。横方向に凸状の接着剤層は、同様の整形された横方向に凸状の接合面上に、あるいは、横方向に線形または平坦な接合面上に形成することができることを理解されたい。さらなる例として、レベリング部材のレベリング表面または縁部は、その中に形成される対応する凹部を含む頂部表面を有する接着剤層を形成するために、複数の凹部および延在部を形成する非線形経路に沿って延びることができる。そのような場合、適用されているアグリゲートに適合するように接着剤層の能力を改善するために、および／または最終タイヤ動作面に沿って常駐するようにアグリゲートを貫通し得る接着剤材料の量を低減するために、凹部を提供することができる。
【００２８】
図４〜図５Ｂを参照すると、接着剤層の形成に関連付けられた様々なステップが例示的目的で示されている。図４を参照すると、第２の接着剤ガイド部材を基部部材の反対側の側方に沿って設置する前に、基部部材２２の横方向側部に沿って配列された接着剤ガイド部材３０が示されている。図５Ａおよび図５Ｂには、横方向に対向する接着剤ガイド部材３０の対が示されている。より詳細には、図４および５Ａを参照すると、接着剤ガイド部材３０は、ガイド部材３０の間に延びる幅Ｗ26を有する接着剤受容区域２６を規定するために、接合面２５に沿って配列される。ガイド部材３０は、基部部材の幅Ｗ22以内で延びるように示されているが、他の変形形態では、側方縁部に隣接して配列されることがある。接着剤ガイド部材３０は、基部部材２２よりも上の高さＨ30をガイド部材の頂部まで延長するように示されている。たとえば、特定の実施形態では、高さＨ30は、８．９ミリメートルにほぼ等しい。ただし、図４には、接着剤ガイド部材３０の全高は、ガイド部材が接合面２よりも上に延びる高さＨ30より大きいことがあることが示されている。図示の実施形態では、接着剤ガイド部材３０は、基部部材２２に沿って接着剤ガイド部材を整列させるのを支援するために、下側延在部３２を含む。基部部材に対して接着剤ガイド部材を固定するための任意の既知の手段を採用することができることを理解されたい。たとえば、締め具などを使用して基部部材２２に接着剤ガイド部材３０を固定する手段として、基部部材内で開口２８と整列させるための開口３４が提供される。さらなる例として、ガイド部材は、基部部材または基部部材が固定される任意の構造にクランプされる。
【００２９】
図５Ａを参照すると、所望の厚さの接着剤層を形成するように基部部材の接合面に沿って配列された接着剤３６が示されており、所望の厚さは、高さＨ30に等しいか、またはそれよりも大きい。接着剤層３６は、任意の所望の幅Ｗ36を有するように形成される。図示の実施形態では、接着剤層幅Ｗ36は、接着剤受容区域２６の幅Ｗ26に等しい。図５Ｂには、接着剤ガイド部材３０の対の上を横方向に延びており、所望の厚さの接着剤層を形成するためにガイド部材および／または接合面の長さに沿って平行移動するレベリング部材３８が示されている。レベリング部材３８のレベリング表面または縁部３９は、厚さＨ36の接着剤層を形成するために接着剤に係合する。レベリング表面または縁部３９は、各接着剤ガイド部材３０の頂部と高さ方向に整列しているように示されており、したがって、接着剤層厚さＨ36は、接着剤ガイド部材３０が接合面２２よりも上に延びる高さＨ30にほぼ等しくなる。さらに、接着剤層厚さＨ36が高さＨ30よりも小さいようなときには、レベリング表面または縁部３９は、各接着剤ガイド部材の頂部よりも下まで延びることができる。例示的実施形態では、接着剤層厚さＨ36は、８．９ｍｍにほぼ等しい。
【００３０】
レベリング表面または縁部３９は、上記で論じたように、線形または非線形とすることができる任意の所望の経路に沿って長手方向に延びることができる。図５Ｂを参照すると、経路は線形である。さらなる例として、図１１に示すような横方向に凸状の接着剤層を形成するために、円弧状の凹状非線形経路は採用することができる。また、非線形経路は、たとえば、頂部の接着剤層の露出面に沿って配列された対応する凹部を有する接着剤層を形成するための複数の凹部および延在部を提供するために、非円弧状経路を備えることができる。たとえば、図１０を参照すると、レベリング部材のレベリング表面または縁部３９は、接着剤層３６に関連して示されている。接着剤層３６は、レベリング表面または縁部の外形または形状に対応する凹部３７を有する頂部の露出面Ｓ36を含む。図示の実施形態では、非線形のレベリング表面または縁部３９は、複数の凹部３９ａおよび延在部３９ｂを含む。レベリング表面または縁部３９が接着剤層３６に対して平行移動するにつれて、凹部３７は、頂部の露出した接着剤層表面Ｓ36に溝を形成する。
【００３１】
接着剤層は、上記でより一般的に論じたように、押出プロセスを使用して形成することができる。したがって、長手方向に凸状の接合面に沿って所定の厚さの接着剤材料を適用するステップの特定の実施形態は、接合面の長さに沿って接着剤材料を押し出すことを含む。任意の既知の押出プロセスは採用することができ、それにより、押出成形機は、接合面の長さに沿って接着剤層を吐出するために接合面に対して平行移動する。たとえば、図９を参照すると、接合面２５に接着剤層３６を適用する押出成形機６０が示されている。詳細には、接着剤は、吐出開口６２から吐出される。吐出開口は、任意の所望の厚さまたは形状を有する接着剤層を形成するようにサイズ設定され整形される。たとえば、吐出開口は、例示的に示されるような一定厚さの接着剤層を、あるいは可変厚さを有する接着剤層を達成するように整形することができる。したがって、吐出開口は、本明細書で論じるような横方向に凸状の接着剤層を形成するように整形することができる。さらに、押出成形機の吐出開口は、本明細書で企図される任意のレベリング表面または縁部に対応する表面または縁部を含むことができる。たとえば、再び図９を参照すると、押出成形機の吐出開口６２は、たとえば、図１０に例示的に示すようなテクスチャ頂部の露出面Ｓ36を有する接着剤層を形成するために、レベリング部材の表面または縁部３９について企図される任意の所望の線形または非線形の表面または縁部を備える頂部のレベリング表面または縁部６４を含むことができる。
【００３２】
かかる方法の特定の実施形態は、保持面に沿って単一のアグリゲート材料層（本明細書では「アグリゲート層」とも呼ぶ）を配列するステップをさらに含むことができる。アグリゲート材料、またはより単純には「アグリゲート」、は、現実世界のタイヤ動作面を形成するために使用される複数の任意の材料、あるいはそのような材料に似ている任意の他の材料を含み得る。たとえば、アグリゲート（「構成成分」とも呼ばれる）は、石、岩もしくは砂利、れんが、あるいは、現実世界のタイヤ動作面を形成する、またはそのような表面を表現するために配列またはアセンブルすることができる任意の他の構成要素を含み得る。特定の実施形態では、アグリゲートは、砂、シリカ、あるいは、現在ロードホイールで使用されるもののような研磨性の滑らない表面を形成するために使用される任意の他の微粒子または粒状材料よりも大きい。
【００３３】
単一のアグリゲート材料層とは、アグリゲートが単一の層にアセンブルされ、それにより、そのような層の厚さは、積層または重畳されたアグリゲートも、有意に重畳されたアグリゲートも含まないことを意味する。アグリゲートに有意には重畳していないアグリゲートは、特定の実施形態では５０％未満、他の実施形態では２５％以下または１０％以下重畳している。したがって、アグリゲート層は、保持面に載置され、それに係合する第１の面と、露出している第１の面の反対側の第２の面とを有する。アグリゲートは、その形状に応じて多くの面を備えることができるため、第１の面および第２の面の各々はアグリゲートの１つまたは複数の面を含むことができる。コーティングされた接合面の接着剤材料は、その後、単一のアグリゲート層の露出した第２の面に係合するように配列されるので、第２の面は接着剤材料と接合し、第１の面はロードホイールのタイヤ動作面を形成する。アグリゲート材料のこの単一の層は、コーティングされた接合面の接着剤層上へのアグリゲート層の全厚さの保持を可能にする。別の場合には、アグリゲート層が積層されたアグリゲートまたは有意に重畳されたアグリゲートを含んでいれば、積層アグリゲートの下に配列されたアグリゲートは、後続のステップにおけるアグリゲート層との係合時に接着剤層に係合しないことがある。その結果、下にあるアグリゲートは、コーティングされた接合面に転写されず、転写されていないアグリゲートに対応する望ましくない凹部が最終タイヤ接合面内に配列されることになる。
【００３４】
上記で示唆したように、アグリゲートは、保持面上に任意の所望の配列で配列され得、アグリゲートの配列は、最終的に、有意な改変なしに接着剤材料層上に転置または転写されることを理解されたい。たとえば、アグリゲートは、アグリゲートで実質的に覆われたタイヤ動作面を提供するように近接して配列することができる。アグリゲートは、アグリゲート配列の制御および精度を向上させるために、また、固有のまたはカスタマイズされたアグリゲート配列を可能にするために、手動で配列することができる。たとえば、マニュアル配列は、十分にサイズ設定されたアグリゲートを選択することと、所望のテクスチャを有するタイヤ動作面を形成するためにアグリゲートを選択的に配列することとを含む。また、マニュアル配列は、単一のアグリゲート層を形成すること、および／またはより均一な厚さを有する単一のアグリゲート層を形成すること（すなわち、同様の厚さまたは高さを有するアグリゲートで構成される層を形成すること）をさらに可能にすることができる。さらなる例として、マニュアル配列により、アグリゲートをより高密度またはより低密度の配列で配列することが可能になる。これは、石または岩のようなアグリゲートが均質でないことがあるためであり、マニュアル配列により、隣接するアグリゲート同士をより注意深く配列することが可能になる。また、マニュアル配列により、他のアグリゲートに対する各アグリゲートの配列にかかわらず、各アグリゲートの個別の配列が可能になる。たとえば、任意の鋭利な縁部がタイヤ動作面に沿って配置されるのではなく、その代わりに、コーティングされた接合面の接着剤材料と最終的に係合させる、単一のアグリゲート層の第２の面に沿って配列されるように各アグリゲートを配列することが望まれることがある。さらなる例として、より大きい表面積を有するアグリゲートの面は、接着剤材料との改善された接合のためのより大きい接合面を提供するために、アグリゲート層の第２の面に沿って配列され得る。
【００３５】
アグリゲート層の配列と長手方向に凸状の接着剤層へのアグリゲート層の適用とを可能にするために、アグリゲートは、別個の保持面に配列される。保持面は、任意の所望の表面を備えることができる。特定の実施形態では、保持面は、フラット面または平坦な面である。ただし、非フラット面またはコンター面を採用してもよいことを理解されたい。そのようなコンター面は、長さ方向において長手方向に、および／または任意の非線形経路に沿って幅方向において横方向に延びることができる。たとえば、非線形経路は、一定の曲率半径によって規定されたコンター面を形成することができる。さらなる例として、保持面は、非線形経路中で横方向に延びるとき、横方向に凸状の接着剤層に沿ってアグリゲートを適用するための横方向に凹形の表面を規定するために、円弧状経路に沿って横方向に延びることができる。保持面は、所望の位置にアグリゲートをよりうまく保持するためにテクスチャ加工することができる。これは、保持面が平坦またはフラットでないとき、たとえば、保持面が横方向または長手方向に凹状または凸状であるときにより有用であり得る。特定の実施形態では、アグリゲートは、少なくとも接着剤層の長さおよび幅にほぼ等しい長さおよび幅を有する保持面にしたがって区域内に配列される。したがって、アグリゲートは、接着剤層を実質的に覆うことができるが、他の変形形態では、接着剤層の一部分をアグリゲートで覆わないままにできることを理解されたい。
【００３６】
保持面に沿ったアグリゲートの配列を制御するために、保持面に沿って単一のアグリゲート材料層を配列する特定の実施形態は、配列されたアグリゲートの幅の対向する横方向側部にアグリゲートガイド部材の対を最初に配列することを含む。アグリゲートガイド部材は、保持面から上方にまたは外向きに所望の高さだけ延びるように配列される。たとえば、特定の実施形態では、この高さは、アグリゲート層の所望の厚さよりも大きい。したがって、アグリゲートは、アグリゲートガイド部材の対の間に、アグリゲートガイド部材の頂部まで、または、アグリゲートガイド部材の頂部の下の特定の距離まで配列され得る。アグリゲートは、横方向に対向するアグリゲートガイド部材の間に、幅全体にわたって、または幅の一部分に延びるように配列することができることを理解されたい。さらに、アグリゲートレベリング部材は、アグリゲートが保持面の上に所望の高さしか延びないことを保証するために、保持面にわたって、かつ、アグリゲートガイド部材の上に横方向に延びるように配列することができる。したがって、アグリゲートレベリング部材の底部が、保持面に沿って配列された任意のアグリゲートに接触する場合、アグリゲートは高すぎ、アグリゲートレベリング部材の底部に接触しないように再配列するか、あるいは再配置する必要がある。保持面が横方向に凹状である実施形態では、アグリゲートレベリング部材は、アグリゲート層の高さを制御するために凸状の底側部または縁部を有することができ、適宜にサイズ設定され整形されたアグリゲートガイド部材に沿って平行移動するように構成することができる。アグリゲートガイド部材は、保持面に対して付着させるか固定することができ、あるいは、保持面自体の一部分または縁部を形成することができることを理解されたい。
【００３７】
その結果、アグリゲートガイド部材を採用するとき、接着剤ガイド部材に関連して論じたように、２つ以上の対を採用することができる。このようにすると、保持面に沿ってアグリゲート受容区域の各対向する横方向側部に、１つまたは複数のアグリゲートガイド部材を配列することができる。接着剤ガイド部材に関連してさらに論じたように、いずれかの横方向側部に配列されたアグリゲートガイド部材は、アグリゲート受容区域に沿って連続的にまたは断続的に配列することができる。それにもかかわらず、アグリゲートガイド部材は、保持面に対して固定される。たとえば、アグリゲートガイド部材は、保持面に、保持面が形成されるまたは取り付けられる構造に、あるいは、保持面に対して固定される任意の他の構造に取り付けられる。保持面は、任意の構造に関連付けられた任意の表面を備えることができることが分かる。たとえば、保持面は、材料シート、トレイ、あるいは床面または地面と関連付けられ、それらを含むことができる。
【００３８】
図６および図７Ａを参照すると、アグリゲート材料を適用する方法のステップが特定の実施形態にしたがって示されている。図を見ると分かるように、幅Ｗ42のアグリゲート受容区域４２を規定するために、保持面４０の上にアグリゲートガイド部材４４が配列されている。保持面４０は、任意の所望の材料で形成された保持ベースに沿って形成される。たとえば、保持ベースは、金属材料または金属合金材料、木材、コンクリート、あるいはプラスチックで形成されたシートを備え得る。単一のアグリゲート層４８を形成するために、保持面の上に配列されたアグリゲート４６が示されており、これは、図７Ａにより明確に示されている。アグリゲート４６は、石、砂利、岩、れんが、または現実世界のタイヤ動作面を形成するために配列され得る任意の他の構成要素を備える。特定の実施形態では、アグリゲート４６は、砂、シリカ、または従来のロードホイールに適用することができる研磨性の滑らない、テクスチャ加工された表面を形成するために使用される他の研磨性微粒子または粒状材料よりも大きい。たとえば、特定の実施形態では、アグリゲート４６は、少なくとも６ｍｍに等しい高さ、幅および／または深さを有し、より具体的な実施形態では、少なくとも３ｍｍに等しいか、あるいは６ｍｍ〜１０ｍｍの高さ、幅および／または深さを有する。少なくとも１０ｍｍ以上に等しい高さ、幅および／または深さを有するアグリゲートを採用することもできることを理解されたい。所望のサイズ設定されたアグリゲートは、別様にサイズ設定されたアグリゲートを分離するためにスクリーンを使用することを含む任意の所望の手段によって選択することができる。
【００３９】
図７Ａを参照すると、アグリゲートガイド部材４４は、保持面４０の上に高さＨ44だけ延びる。たとえば、特定の実施形態では、高さＨ44は、１２ミリメートルにほぼ等しい。形成されたアグリゲート層４８は、保持面４０の上にアグリゲートガイド部材４４が保持面の上に高さＨ44よりも低い高さＨ48だけ延びる。また、図７Ａは、アグリゲートが保持面の上に所望の高さしか伸びないことを保証するために、保持面にわたって、かつ、アグリゲートガイド部材４４の上に横方向に延びたアグリゲートレベリング部材５０を示す。アグリゲートレベリング部材５０は、アグリゲートのうちのいずれかが保持面の上に所望の高さＨ50を越えて延びるかどうかを判断する底部表面または縁部５２を有する。底部表面または縁部５２は、（図５Ｂに示した接着剤レベリング部材３８に同様に）各ガイド部材の頂部と高さ方向に水平とすることができるが、底部表面または縁部５２は、（レベリング部材３８の縁部３９が各接着剤ガイド部材から下にも延びることができるのとまったく同じように）高さＨ50を達成するために、各アグリゲートガイド部材４４から必要に応じて下方に高さＨ52だけ延びることができる。動作中、アグリゲートガイド部材５０は、すべてのアグリゲートが、所望されるように保持面に沿って適切にサイズ設定され配列されることを保証するために、アグリゲートガイド４４に沿って長手方向に平行移動させることができる。底部表面または縁部５０は、長手方向に凸状の接着剤層を形成するとき、図７Ａに示すように線形に、または、円弧状のように非線形に延びることができることを理解されたい。
【００４０】
本方法の特定の実施形態は、コーティングされた接合面の長手方向に凸状の接着剤材料層の幅を単一のアグリゲート層に係合させるステップを含む。意図された係合を達成するために、コーティングされた接合面は、長手方向に凸状の接着剤層の幅がアグリゲート層に係合するように、単一のアグリゲート層に対して配列される。接着剤層が長手方向に凸状であるので、接着剤層の一部分は、アグリゲート層から係合解除されたままになるが、別の一部分は、アグリゲート層が長手方向に凸状でない、同様に長手方向に凸面でないようなときに、接着剤層の長さに沿ってアグリゲート層と係合する。そのような場合、コーティングされた接合面を後続のステップにおいて回転させるまで、接着剤層の長さは、アグリゲート層に係合しない。
【００４１】
アグリゲート層との接着剤層の係合を制御するために、接合面は、保持面から離隔または離間している。保持面と接合面との間にアグリゲート層が配列されるので、接合面は、アグリゲート層の高さ以上の距離（「オフセット距離」とも呼ばれる）だけ保持面から離隔している。オフセット距離は、任意の既知の手段によって達成することができる。
【００４２】
たとえば、接合面と保持面との間のオフセット距離は、接着剤層に対して固定された１つまたは複数の表面が、アグリゲート層に対して固定された１つまたは複数の表面に係合したときに達成され、接着剤層および／またはアグリゲート層のいずれかに関連付けられた１つまたは複数の表面は、オフセット距離を確立するために、それらの層の間に配列されたロケーションまで延びる。たとえば、オフセット距離は、スペーサの少なくとも１つの対を採用することによって達成することができ、それにより、一方のスペーサは、アグリゲート層または接着剤層の両側で、他方のスペーサから横方向に離間している。オフセット距離を達成するために、スペーサの１つの対の少なくとも一部分は、オフセット距離に等しい、接合面と保持面との間の距離だけ延びるように配列される。
【００４３】
オフセット距離は、スペーサの高さまたは厚さの一部分に等しくすることができ、あるいは、２つ以上の積層されたスペーサの高さまたは厚さの和に等しくすることができることを理解されたい。たとえば、スペーサの１つの対は、保持面に対して固定することができ、スペーサの第２の対は、接合層に対して固定される。このようにすると、スペーサのいずれかの対を、保持面に対して固定された任意の構造、または接合面に対して固定された任意の構造に取り付けることができる。たとえば、保持面に対して固定された任意の構造に取り付けられると、スペーサの対は、アグリゲートガイド部材の対を備えることができる。さらなる例として、接合面に対して固定された任意の構造に取り付けられると、スペーサの対は、接着剤ガイド部材の対を備えることができる。
【００４４】
スペーサを採用すると、接着剤層をアグリゲート層と係合させることは、横方向に離間したスペーサが、接合面と保持面との間の所望のオフセット距離を達成するために、対応する表面または構造に十分に係合するように十分な力を印加することを含む。スペーサに適切に接触することによって、タイヤ動作面の得られた半径は、接着剤層の長さに沿ってアグリゲートを適用するためにスペーサに沿って接合面が回転するにつれて、正しく取得される。
【００４５】
図７Ｂおよび図７Ｃを参照すると、コーティングされた接合面の長手方向に凸状の接着剤材料層の幅を単一のアグリゲート層と係合させるステップの例示的実施形態が示されている。図７Ｂには、基部部材２２に沿って形成されたコーティングされた接合面を、アグリゲート層４８と係合させようとするときに高さ方向に反転されて示されている。図７Ｃでは、コーティングされた接合面の接着剤層３６は、アグリゲート層４８と完全に係合しており、それにより、接着剤層３６に対して固定された基部部材２２の横方向に対向する長手方向に凸状の表面２５が、アグリゲート層４８および保持面４０に対して固定されたアグリゲートガイド部材４４を備えるスペーサの横方向に対向する対の頂部表面に係合する。図示の実施形態では、接着剤層は、アグリゲート層４８とアグリゲートガイド部材４４の頂部との間に残る高さＨΔ内に配列される。接着剤層内にアグリゲートを加えることの目的としてアグリゲートによって圧縮力を接着剤層に加えるために、アグリゲート層４８とアグリゲートガイド部材４４の頂部との間に残る高さＨΔは、接着剤層の厚さＨ36よりも小さい。特定の例示的実施形態では、アグリゲートガイド部材４４は、アグリゲートが保持面の上に約６ｍｍ〜１０ｍｍだけ延びている状態で、保持面の上に約１２ｍｍの高さＨ44だけ延び、それにより、アグリゲート層４８とアグリゲートガイド部材４４の頂部との間に残る高さＨΔは、約２ｍｍ〜６ｍｍに等しくなる。そのような実施形態では、アグリゲートは、約８．９ｍｍの厚さの接着剤層に適用される。
【００４６】
本方法の特定の実施形態は、長手方向に凸状の接着剤材料層の長さが単一のアグリゲート層に係合するまで、保持面に対して長さ方向に、コーティングされた接合面を回転させるステップであって、回転の後、保持面からコーティングされた接合面に、係合されたアグリゲートを効果的に転写してアグリゲートで接着剤層をコーティングするために、係合されたアグリゲートを接着剤層に付着させたままにする、コーティングされた接合面を回転させるステップを含む。長手方向に凸状の接着剤層の幅がアグリゲート層に係合させるために、コーティングされた接合面が単一のアグリゲート層に対して配列した後、アグリゲートを保持面から長手方向に凸状の接着剤層に転置または転写することを目的として、保持面とその上に配列されたアグリゲートとに対して、コーティングされた接合面を回転させる。換言すると、アグリゲートは、長手方向に凸状の接着剤層をアグリゲートに沿って長さ方向に回転させることによって、長手方向に凸状の接着剤層の全長にわたって効果的に転がされる。アグリゲートは、平行移動することなく接着剤層と保持面との間での相対回転によって、長手方向に凸状の接着剤層に転写されるので、保持面に沿ったアグリゲートの配列は、接着剤層に転写されたように全体的にそのままとすることが可能である。相対回転は、任意の構造を回転させることによって達成することができる。たとえば、接着剤層は、接合面または基部部材とともに回転することができるが、保持面は、アグリゲートとともに固定されたままであり、その逆も成り立つ。また、異なる速度であってもアグリゲートと接着剤層の両方が回転するとしても、相対回転は達成することができる。
【００４７】
接着剤層をアグリゲート層と係合させるステップに関連して上記で論じた実施形態では、たとえば、スペーサの対のように、接着剤層に対して固定された１つまたは複数の表面がアグリゲート層に対して固定された１つまたは複数の表面に係合するときに、接着剤層とアグリゲート層との間の係合が制御され、相対回転は実行されるが、これらの表面が係合したままになる。これは、接着剤層に対して固定された１つまたは複数の表面のうちの１つが長手方向に凸状のときに達成される。コーティングされた接合面とその上で回転する構造との間に滑らない表面または材料を配列すると、それらの間での任意の意図しない平行移動またはズレに抵抗することができる。ただし、回転の実際のパフォーマンスは、回転する任意の既知の手段によって実行することができる。たとえば、回転は、機械または機械システムを使用して、手動でまたは自動的に実行することができる。
【００４８】
図７Ｄを参照すると、コーティングされた接合面を保持面に対して長さ方向に回転させるステップの例示的実施形態が示されている。詳細には、図７Ｃの基部部材２２に沿って形成されたコーティングされた接合面は、アグリゲート層およびスペーサの対の上に配列されているように示されており、スペーサは、たとえば、アグリゲートガイド部材４４を含む。図７Ｄは、接着剤層３６および対応する基部部材２２の長手方向に凸状の曲率を示しており、相対回転と保持面から接着剤層３６へのアグリゲートの転写とを達成するために、アグリゲート層およびアグリゲートガイド部材４４の長さに沿って長手方向に接着剤層を基部部材とともに回転させる、または転がすことを示唆している。そのような回転は、図中、対応する矢印に関連付けられた方向に、参照符号Ｒで示されている。得られたタイヤ動作面セクション２０は、図１のロードホイール１０への適用について、図８に示されている。タイヤ動作面セクションを形成するために取られるステップは、十分な量のタイヤ動作面セクションが設置のために準備され、ロードホイールの周りに環状タイヤ動作表面を形成するためにロードホイールに設置されるまで繰り返すことができる。
【００４９】
上記で論じたように、ロードホイールは、横方向に凸状のタイヤ動作面を含むことができる。したがって、横方向にも長手方向にも凸状であるタイヤ動作面を形成するために、本明細書では論じた方法を採用することができる。図１１を参照すると、たとえば、保持面４０に沿って配列された単一のアグリゲート層４８に沿って回転している基部部材２２が示されている。より詳細には、基部部材２２は、その上に配列された、横方向および長手方向に凸状の接合面２５と、横方向および長手方向に凸状の接着剤層３６とを含む。接合面２５は横方向に凸状であるが、基部部材２３の側面部分は、たとえば、ロードホイールへの基部部材の取付けを可能にするために、接合面の経路とは異なる経路に沿って横方向に延びることができる。
【００５０】
接着剤層へのアグリゲートの適用を可能にするために、単一のアグリゲート層４８と保持面４０とは、両方とも横方向に凹状である。接合面上での接着剤の配列を可能にするために、横方向に凹状のレベリング表面または縁部を有するレベリング部材を採用することができる。レベリング部材は、所望の接着剤層を達成するために必要に応じて、任意の適宜整形されサイズ設定された接着剤ガイドに沿って平行移動することができる。他の変形形態では、接着剤層を適用するために押出成形機を使用するときに、（押出しダイの一部分を形成することができる）吐出開口は、凸状の接着剤層を形成するために円弧状経路に沿って横方向に延びることができる。凹状の保持面に沿ってアグリゲートを配列するとき、保持面が凹状である（または凸状である、あるいは場合によっては非フラットまたは平坦である）とき、アグリゲートレベリング部材を依然として採用することができることを理解されたい。したがって、接着剤レベリング部材のレベリング表面または縁部が、所望の接着剤層を達成するために、必要に応じて適合することができるのとまったく同様に、アグリゲートレベリング部材のレベリング表面または縁部は、保持面の横方向に任意の所望の経路に沿って長手方向に延びることができる。たとえば、単一のアグリゲート層を達成するために保持面が凹状のとき、アグリゲートレベリング部材のレベリング表面または縁部は凹状であり得る。アグリゲートレベリング部材は、保持面の側縁部４１に沿って平行移動することができ、あるいは、適宜に整形され、保持面に対して固定されたアグリゲートガイド部材に沿って平行移動することができる。
【００５１】
本発明の特定の実施形態は、複数のタイヤ動作面セグメントを形成するために、必要な先行ステップを少なくとも１回繰り返すステップと、ロードホイールの径方向外側部に沿って環状タイヤ動作面を形成するために、回転可能なロードホイールの外面の径方向外側部に沿って複数のタイヤ動作面セグメントを設置するステップとを含む。接合面が、接合部材の径方向外側表面を形成し、ロードホイールのタイヤ動作面が、複数のタイヤ動作面セグメントを備える事例では、複数のタイヤ動作面セグメントは、かかる方法の先行ステップのいずれかにしたがって形成される。形成後、複数のタイヤ動作面セグメントは、上記で論じたように当業者に知られる、セグメントをロードホイールに固着する任意の既知の手段によって、ロードホイールの径方向外側表面に付着される。各セグメントの末端部は、アグリゲートを接着剤層に適用した後に末端部を越えて部分的に延びるようなときには、鋸状または非線形であり得ることを理解されたい。したがって、セグメントの末端部に沿って配列された任意のアグリゲートは、所望の末端部を提供するために、ロードホイールに沿ってセグメントを設置する前に、切断される、トリミングされる、または、研削されることがある。これは、手工具または他の機械を使用して手動で実行しても、あるいは、任意の自動プロセスを使用して実行してもよい。また、アグリゲートは、ロードホイールへの設置前または設置後、粘着剤が凝固または硬化する前に、再配列または再配置することができる。さらに、設置すると、末端部には、アグリゲートが接着剤に沿って適切に配置されなかったロケーションがあることがあり（すなわち、アグリゲートに沿って末端部にまたはその近くに空隙が存在することがあり）、ならびに／あるいは、隣接するセグメントの隣接する末端部に沿って配置されたアグリゲートは重畳することがあり、または場合によっては、必要に応じて対合しないことがある。あらゆるそのようなシナリオを改善するために、アグリゲートは、接着剤が硬化する前に、追加したり、再配列したり、および／または、再配置したりすることができ、あるいは、硬化した場合には、接着剤は任意のアグリゲートとともに除去され、任意の所望の配列で再配列することができる。硬化後除去は、研磨または切断のような任意の既知の方法を使用して実行することができる。
【００５２】
本発明について、本発明の特定の実施形態を参照して記載してきたが、かかる記載は、例として示されており、限定として示されているものではないことを理解されたい。したがって、本発明の範囲および内容は、添付の特許請求の範囲の用語によって規定すべきである。
【図１】
0005908606.tif 000002
【図２】
0005908606.tif 000003
【図３】
0005908606.tif 000004
【図４】
0005908606.tif 000005
【図５Ａ】
0005908606.tif 000006
【図５Ｂ】
0005908606.tif 000007
【図６】
0005908606.tif 000008
【図７Ａ】
0005908606.tif 000009
【図７Ｂ】
0005908606.tif 000010
【図７Ｃ】
0005908606.tif 000011
【図７Ｄ】
0005908606.tif 000012
【図８】
0005908606.tif 000013
【図９】
0005908606.tif 000014
【図１０】
0005908606.tif 000015
【図１１】
0005908606.tif 000016
【図１２Ａ】
0005908606.tif 000017
【図１２Ｂ】
0005908606.tif 000018